(57)【要約】【課題】電磁弁コイルの通電の有無を簡単に判定する。【解決手段】検出子１２が、電磁弁コイルの通電により発生する磁力により移動し、光源１４をオンオフさせ、光源１４の点灯消灯により電磁弁コイルの通電の有無を判定するこことができる。電磁弁コイルが通電していない状態においては、圧縮バネ４０が、可動接点３０と光源接点３２とを非接触状態の位置に保持し、光源１４を消灯させる。この消灯により、電磁弁コイルが通電していないことを示すことができる。電磁弁コイルが通電した状態においては、検出子１２は、電磁弁コイルの電流により発生する磁力により、ケース本体１０から離れる方向に移動する。これにより、圧縮バネ４０が圧縮し、可動接点３０が光源接点３２に接触して、光源１４を点灯させる。この点灯により、電磁弁コイルが通電していることを示すことができる。【選択図】図３
2006138658.tif 000002
【特許請求の範囲】
【請求項１】
電磁弁コイルの通電の有無を報知する電磁弁コイル用通電チェッカーであって、
ケース本体と、
ケース本体に対して移動可能に設けられ、磁性体からなる検出子と、
ケース本体に外部から視認可能に設けられ、電磁弁コイルの通電の有無を報知する光源と、
前記ケース本体内にスライド可能に設けられ、前記検出子の移動に基づいて前記光源の電源との電気的接続をオンオフする可動接点と、
前記検出子と可動接点間に設けられる圧縮バネと、
を備え、
電磁弁コイルが通電していない状態において、前記圧縮バネは前記光源をオフする位置に可動接点を付勢しており、電磁弁コイルが通電した状態において、検出子が磁力により移動し圧縮バネが圧縮して、前記可動接点が前記光源の電源をオンする位置に移動して光源を点灯させることを特徴とする電磁弁コイル用通電チェッカー。
【請求項２】
請求項１に記載の電磁弁コイル用通電チェッカーであって、
前記ケース本体は、ペン型の筐体であり、
前記ペン型の筐体内に、前記光源の電源となる電池が内蔵されることを特徴とする電磁弁コイル用通電チェッカー。
【発明の詳細な説明】
【技術分野】
【０００１】
本発明は、電磁弁コイル用通電チェッカーの改良に関する。
【背景技術】
【０００２】
従来から、電磁弁コイルの通電状態は測定具等を用いてチェックされている。図５は、従来の電磁弁コイルの通電状態（励磁、不励磁の状態）をチェックする方法を示す図である。
【０００３】
図５に示すように、電磁弁５０は、その内部にプランジャ５２と、その回りに巻回された電磁弁コイル５４と、を備え、電磁弁コイル５４の通電により発生する磁力によりプランジャ５２が上下動させられ弁の開閉が行われる。
【０００４】
この電磁弁コイル５４の通電状態、例えば通電の有無をチェックするために、例えば、ドライバー先や鉄クリップを電磁弁５０に近づけて、その動きにより、通電の有無を判定することができる。
【０００５】
また、電磁弁コイル５４のリード線５６をクランプメータ５８に接続し、リード線５６の電流をクランプメータ５８で測定し、電磁弁コイル５４の通電状態を判定していた。
【０００６】
なお、参考技術として、下記特許文献１に移動機械のチェッカーが開示されている。
【０００７】
【特許文献１】実願平６−０３３０４５号
【発明の開示】
【発明が解決しようとする課題】
【０００８】
ドライバー先や鉄クリップで電磁弁コイル５４の通電の有無を判定する方法は、電磁弁コイル５４の電流が微弱である場合、ドライバー先等が動かなかったり、動きが微弱であったりする。従ってその動きから通電の有無を判定することが難しいという問題があった。
【０００９】
また、クランプメータ５８による測定でも、電磁弁コイル５４の特性により、電流値が変化したり、電流が微弱である場合、クランプメータ５８での測定値が誤差範囲内に入ってしまい、電磁弁コイル５４の通電状態を判定するのが困難な場合がある。
【００１０】
また、リード線５６が保護カバー等に覆われている場合には、リード線５６をクランプメータ５８にセットすることができず、電流測定をできない場合がある。
【００１１】
本発明は、上記課題を解決するためになされたもので、電磁弁コイルの通電の有無を簡単に判定することを目的とする。
【課題を解決するための手段】
【００１２】
本発明の電磁弁コイル用通電チェッカーは、電磁弁コイルの通電の有無を報知する電磁弁コイル用通電チェッカーであって、ケース本体と、ケース本体に対して移動可能に設けられ、磁性体からなる検出子と、ケース本体に外部から視認可能に設けられ、電磁弁のコイルの通電の有無を報知する光源と、ケース本体内にスライド可能に設けられ、検出子の移動に基づいて光源の電源との電気的接続をオンオフする可動接点と、検出子と可動接点間に設けられる圧縮バネと、を備え、電磁弁コイルが通電していない状態において、圧縮バネは光源をオフする位置に可動接点を付勢しており、電磁弁コイルが通電した状態において、検出子が磁力により移動し圧縮バネが圧縮して、可動接点が光源の電源をオンする位置に移動して光源を点灯させることを特徴とする。
【００１３】
また、本発明の電磁弁コイル用通電チェッカーにおいて、ケース本体は、ペン型の筐体であり、ペン型の筐体内に、光源の電源となる電池が内蔵される。
【発明の効果】
【００１４】
電磁弁コイルの通電により発生する磁力により、光源の電源をオンオフさせることにしたので、電磁弁コイルの通電状態を容易に判定することができる。
【発明を実施するための最良の形態】
【００１５】
以下、発明を実施するための形態（以下、実施形態という）について、図面を参照し説明する。
【００１６】
図１は、本実施形態の電磁弁コイル用通電チェッカーの全体構成を示す図である。図１に示すように、電磁弁コイル用通電チェッカー１は、大別して、ケース本体１０と、このケース本体１０に対して移動可能に設けられ、磁性体からなる検出子１２と、ケース本体１０に外部から視認可能に設けられ、検出子１２の移動に基づいて電磁弁コイルの通電の有無を報知する光源１４と、で構成されている。本実施形態においては、ケース本体１０の一端（先端）側に光源１４、他端（後端）側に検出子１２が配置され、ケース本体１０内部に、光源１４の電源、点灯回路等が内蔵される。
【００１７】
検出子１２は、電磁弁コイルの通電により発生する磁力により移動し、可動接点をオンオフするようになっている。すなわち、電磁弁コイルの通電の有無のチェックにおいて、図１（Ａ）に示すように、電磁弁コイルが通電していない状態においては、検出子１２は、ケース本体１０から移動せず、光源１４と電源の電気的接続を絶ち、光源１４を消灯させている。これに対して、電磁弁コイルが通電している状態においては、図１（Ｂ）に示すように、検出子１２は、磁力によりケース本体１０から離れ、これによって可動接点がオンし、光源１４と電源とを電気的に接続させ点灯させる。これにより、電磁弁コイルの通電の有無（通電状態）を判定することができる。以下、詳細に説明する。
【００１８】
図２、３は、本実施形態の電磁弁コイル用通電チェッカーの内部構造を示す図であり、図２は、電磁弁コイルの非通電状態を検出した場合を示す図であり、図３は、電磁弁コイルの通電状態を検出した場合を示す図である。
【００１９】
本実施形態において、ケース本体１０は、ペン型の筐体で構成されており、手に把持しやすく、取り扱いやすい形状となっている。ケース本体１０は、電源等が収納される円筒部１０ａを有しており、この円筒部１０ａの先端部１０ｂに、光源１４が配置され、この円筒部１０ａの後端蓋１０ｃの外側に検出子１２が配置される構成となっている。
【００２０】
先端部１０ｂは、アクリル樹脂、ポリカーボネート等の透明樹脂で扁平なドーム形状となっている。円筒部１０ａの先端部１０ｂ側に光源固定子１６が設けられ、光源１４は、その基部が光源固定子１６に固定され、発光部分が先端部１０ｂ内に位置する。従って、光源１４は、先端部１０ｂを介し外部から視認可能になっている。なお、使用者は、この先端部１０ｂを通して、光源１４の点灯状態を視認するため、先端部１０ｂは、光を拡散できるように、粗面処理や多面カット処理をしたり、先端部１０ｂの材料の透明樹脂内にアルミニウムフィルムなどの拡散材を含有させたり、樹脂自体を白濁化させ、見やすいようように構成することが好ましい。
【００２１】
光源１４は、本実施形態において、ＬＥＤで構成されている。また、ＬＥＤに代えて豆電球などで構成しても良い。この光源１４のリード線１８、２０が、光源固定子１６内部に通され、後述する電源と電気的に接続するようになっている。
【００２２】
本実施形態において、電源となる電池２２が、円筒部１０ａ内に収納されている。電池２２は、前記光源固定子１６と円筒部１０ａの中程に配置された電池固定子２４間に配置され、光源固定子１６側の電池接触子２６と電池固定子２４側の電池接触子２８が、電池２２の陽極端子２２ａ、陰極端子２２ｂに接して、電池２２を円筒部１０ａ内に固定保持している。なお、本実施形態の様に電源を内蔵させることなく、外部電源に接続する構成としても良い。
【００２３】
光源１４のリード線１８は、電池接触子２６に接続され、電池２２の陽極端子２２ａと導通している。一方、光源１４のリード線２０は、光源固定子１６及び円筒部１０ａの内部又は周面に沿って、電池２２より後方に固定された光源接点３２に接続される。一方、電池接触子２６は、電気リード線３４により、可動接点３０に接続されている。すなわち、電気リード線３４は、電気接触子３４から電池固定子２４内部を通って伸び、その後伸長可能なコイル形状で可動接点３０に接続される。従って、可動接点３０が円筒部１０ａ内をスライド移動して、光源接点３２に接触すると、電池２２の陰極端子２２ｂと光源１４のリード線２０が導通し、光源１４と電池２２が電気的に接続され、光源１４が点灯する。
【００２４】
そして、この可動接点３０が、以下に説明するように検出子１２と接続されており、その移動に従動して円筒部１０ａ内をスライド移動する。以下、これに関連する構成について説明する。
【００２５】
検出子１２は、鉄などの磁性材料からなり、全体として円盤状で、円筒部１０ａの後端蓋１０ｃに対向して、ケース本体１０の外側に配置されている。この検出子１２の裏面側、すなわち後端蓋１０ｃに対向する面から軸３６が伸ばされ、後端蓋１０ｃ及び光源接点３２を貫通して円筒部１０ａ内に延伸されている。この軸３６の中途部に、すなわち、光源接点３２より後側に、ピストン３８が円筒部１０ａに対してスライド可能に配置され、軸３６の先端に前記可動接点３０が固定されている。そして、後端蓋１０ｃとピストン３８間に圧縮バネ４０が配置されている。この圧縮バネ４０は、通常、ピストン３８を光源接点３２側に押し当てており、可動接点３０を光源接点３２と接触しない位置に付勢している。ここで、検出子１２がケース本体１０に対して移動すると、圧縮バネ４０が圧縮され、可動接点３０は、光源接点３２に向かってスライド移動する。最終的に、可動接点３０が光源接点３２に接触すると、光源１４と電池２２が電気的に接続し、光源１４が点灯する。
【００２６】
ここで、電磁弁コイルの通電の有無を判定する場合の検出子１２及び光源１４の作用について説明する。
【００２７】
電磁弁コイルの通電の有無を判定する場合、この電磁弁コイル用通電チェッカーを電磁弁コイルに近づける。電磁弁コイルが通電していない状態においては、図１に示すように、圧縮バネ４０が、ピストン３８を光源接点３２側に付勢しており、可動接点３０と光源接点３２とを非接触状態の位置に保持している。すなわち、圧縮バネ４０が、光源１４をオフする位置に可動接点３０を付勢している。この状態において、光源１４は消灯しているので、この消灯により、電磁弁コイルが通電していないことが示される。
【００２８】
電磁弁コイルが通電した状態においては、図２に示すように、検出子１２は、電磁弁コイルの電流により発生する磁力により、電磁弁に引きつけられる。従って、検出子１２は、ケース本体１０から離れる方向に移動する。これによりピストン３８が、圧縮バネ４０の力に抗して後端蓋１０ｃ側に移動し、可動接点３０が光源接点３２側にスライド移動する。最終的に、可動接点３０が光源接点３２に接触する位置、すなわち、光源１４の電池２２をオンする位置に移動し、光源１４を点灯させる。この光源１４の点灯により、電磁弁コイルが通電していることが示される。
【００２９】
このように、圧縮バネ４０の作用により、光源１４を点灯・消灯させて、電磁弁コイルの通電の有無を報知するので、電磁弁コイルの電流値に応じて圧縮バネ４０の強さを調整すると好適である。また、光源接点３２の位置を調整可能とすることもできる。
【００３０】
次に、電磁弁コイルの通電の有無を判定する全体の流れについて説明する。図４は、電磁弁コイルの通電の有無の判定の様子を示す図である。なお、電磁弁コイルの構成は、背景技術で説明したものと同様であるので、同様の符号を付し詳細な説明は省略する。
【００３１】
測定者は、例えば、電磁弁コイル用チェッカーの円筒部１０ａを把持し、電磁弁５０の上方に保持する。電磁弁コイルに電気が流れていない状態においては、検出子１２は、点線で示すように、ケース本体１０に接する位置にあり、光源１４は消灯している。この光源１４の消灯により、操作者は、電磁弁コイルが通電していないことを視覚的に認識することができる。このような状態から、電磁弁コイル電気を流し、電磁弁コイルが通電すると、検出子１２は、電磁弁コイルの電流により発生する磁力により、ケース本体１０から離れる方向に移動する。図４では、検出子１２は、電磁弁５０に接触する位置まで移動する。この検出子１２の移動により、光源１４が点灯する。この光源１４の点灯により、操作者は、電磁弁コイルが通電していることを認識することができる。
【００３２】
以上説明したように、電磁弁コイル５４の通電の有無を、通電に生じる磁力により検出子１２を移動させて、光源１４を点灯・消灯させることにしたので、電磁弁コイル５４の通電の有無を容易に判定することができる。
【図面の簡単な説明】
【００３３】
【図１】実施形態の電磁弁コイル用通電チェッカーの全体構成を示す図である。
【図２】実施形態の電磁弁コイル用通電チェッカーの内部構造を示す図である。
【図３】実施形態の電磁弁コイル用通電チェッカーの内部構造を示す図である。
【図４】電磁弁コイルの通電の有無の判定の様子を示す図である。
【図５】従来の電磁弁コイルの通電状態をチェックする方法を示す図である。
【符号の説明】
【００３４】
１０  ケース本体、１０ａ  円筒部、１０ｂ  先端部、１０ｃ  後端蓋、１２  検出子、１４  光源、１６  光源固定子、１８，２０  リード線、２２  電池、２４  電池固定子、２６  電池接触子、２８  電池接触子、３０  可動接点、３２  光源接点、３４  電気リード線、３６  軸、３８  ピストン、４０  圧縮バネ。
【図１】
2006138658.tif 000003
【図２】
2006138658.tif 000004
【図３】
2006138658.tif 000005
【図４】
2006138658.tif 000006
【図５】
2006138658.tif 000007